(57)【特許請求の範囲】
【請求項１】
ＩＳＤＮ回線を終端制御する電話装置と、内線伝送路を介して前記電話装置へ接続されて前記電話装置へ電源が供給されている通電状態および前記電話装置への電源供給が停止している停電状態で前記ＩＳＤＮ回線を用いた通話を行う停電用電話機とに接続され、前記通電状態／停電状態に応じて前記ＩＳＤＮ回線を前記電話装置側または前記停電用電話機側のいずれかへ切替接続する回線切替装置であって、
前記ＩＳＤＮ回線を前記電話装置側または前記停電用電話機側のいずれかへ切替接続する回線切替部と、
前記内線伝送路に接続され、前記電話装置から前記内線伝送路を介して前記停電用電話機へ電源が供給された場合に前記回線切替部を制御することにより通電伝送路を介して前記ＩＳＤＮ回線を前記電話装置側へ接続し、前記停電用電話機への電源が供給停止された場合に前記回線切替部を制御することにより停電伝送路を介して前記ＩＳＤＮ回線を前記停電用電話機へ接続する切替制御部と、
前記回線切替部により前記停電伝送路を介して前記ＩＳＤＮ回線へ接続された前記停電用電話機による通話を検出する通話検出部と、
前記通話検出部により前記停電用電話機による通話が検出された場合は、前記切替制御部による前記回線切替部の切替制御を停止する制御部と、
前記内線伝送路のうち前記切替制御部よりも前記電話装置側に設けられ、前記制御部からの指示に応じて、前記電話装置から前記停電用電話機および前記切替制御部への電源供給を制御することにより、前記切替制御部による前記回線切替部の切替制御を停止／停止解除する給電制御部と
を備えることを特徴とする回線切替装置。
【請求項２】
請求項１記載の回線切替装置において、
前記制御部は、前記通話検出部により前記停電用電話機による終話が検出された場合、前記切替制御部による前記回線切替部の切替制御の停止を解除することを特徴とする回線切替装置。
【請求項３】
請求項１記載の回線切替装置において、
前記制御部は、前記通話検出部により前記停電用電話機による通話が検出された場合、前記給電制御部を開放状態に制御することにより、前記切替制御部による前記回線切替部の切替制御を停止することを特徴とする回線切替装置。
【請求項４】
請求項１記載の回線切替装置において、
前記制御部は、前記通話検出部により前記停電用電話機による終話が検出された場合、前記給電制御部を閉結状態に制御することにより、前記切替制御部による前記回線切替部の切替制御の停止を解除することを特徴とする回線切替装置。
【請求項５】
請求項１記載の回線切替装置において、
前記電話装置がボタン電話装置の主装置であり、前記停電用電話機が前記電話装置に内線伝送路を介して接続される停電用子機であることを特徴とする回線切替装置。
【請求項６】
請求項１記載の回線切替装置において、
前記通話検出部は、前記停電伝送路に生ずる電気量の変化に基づき、前記停電伝送路を用いた前記停電用電話機の通話有無を検出することを特徴とする回線切替装置。
【請求項７】
ＩＳＤＮ回線を終端制御する電話装置と内線伝送路を介して接続され、前記電話装置へ電源が供給されている通電状態および前記電話装置への電源供給が停止している停電状態で前記ＩＳＤＮ回線を用いた通話を行う停電用電話機であって、
前記内線伝送路を介して前記電話装置から供給された電源に基づき当該停電用電話機での電話機能を提供する通電動作部と、
前記ＩＳＤＮ回線を介して網側から供給された電源に基づき当該停電用電話機での電話機能を提供する停電動作部と、
前記ＩＳＤＮ回線を前記電話装置側または前記停電動作部側のいずれかへ切替接続する回線切替部と、
前記内線伝送路に接続され、前記電話装置から内線伝送路を介して電源が供給された場合に前記回線切替部を制御することにより通電伝送路を介して前記ＩＳＤＮ回線を前記電話装置側へ接続し、前記電源の供給が停止された場合に前記回線切替部を制御することにより停電伝送路を介して前記ＩＳＤＮ回線を前記停電動作部へ接続する切替制御部と、
前記回線切替部により前記停電伝送路を介して前記ＩＳＤＮ回線に接続された前記停電動作部で通話が開始された場合は、前記切替制御部による前記回線切替部の切替制御を停止する停電制御部と、
前記内線伝送路のうち前記切替制御部から前記電話装置側に設けられ、前記停電制御部からの指示に応じて、前記電話装置から前記通電動作部および前記切替制御部への電源供給を制御することにより、前記切替制御部による前記回線切替部の切替制御を停止／停止解除する給電制御部と
を備えることを特徴とする停電用電話機。
【請求項８】
請求項７記載の停電用電話機において、
前記停電制御部は、前記停電用電話機による終話に応じて、前記切替制御部による前記回線切替部の切替制御の停止を解除することを特徴とする停電用電話機。
【請求項９】
請求項７記載の停電用電話機において、
前記停電制御部は、前記停電用電話機で通話が開始された場合、前記給電制御部を開放状態に制御することにより、前記切替制御部による前記回線切替部の切替制御を停止することを特徴とする停電用電話機。
【請求項１０】
請求項７記載の停電用電話機において、
前記停電制御部は、前記停電用電話機による終話に応じて、前記給電制御部を閉結状態に制御することにより、前記切替制御部による前記回線切替部の切替制御の停止を解除することを特徴とする停電用電話機。
【請求項１１】
請求項７記載の停電用電話機において、
前記電話装置がボタン電話装置の主装置であり、当該停電用電話機が前記電話装置に内線伝送路を介して接続される停電用子機であることを特徴とする停電用電話機。
【発明の詳細な説明】
【０００１】
【発明の属する技術分野】
本発明は、回線切替装置および停電用電話機に関し、特にＩＳＤＮ回線に接続された電話装置が停電状態でもＩＳＤＮ回線を用いた通話を実現するための回線切替装置および停電用電話機に関するものである。
【０００２】
【従来の技術】
ＩＳＤＮ回線へ接続されて終端制御する電話装置では、その電話装置に収容される電話機（以下、子機という）として停電用電話機（以下、停電用子機という）を設け、電話装置への電源供給が停止した停電状態でも停電用子機によりＩＳＤＮ回線を用いた通話を実現するものもある。
このような場合、ＩＳＤＮ回線と電話装置との間に回線切替装置を設け、電話装置が停電状態となった場合に、その回線切替装置でＩＳＤＮ回線を電話装置側から停電用電話機へ切替接続して、停電用子機による通話を実現している。また、停電用子機の内部にこのような回線切替装置を含むものもある。
【０００３】
図８に従来の回線切替装置を示す。ここでは、ボタン電話装置を例として主装置２が上記電話装置に相当し停電用子機３が停電用電話機に相当する場合について説明する。
この回線切替装置９には、ＩＳＤＮ回線（Ｕ点インターフェース）１０を主装置２側または停電用子機３側のいずれかへ切替接続する回線切替部９１と、主装置２と停電用子機３とを結ぶ内線伝送路９Ｃを介して主装置２から停電用子機３へ供給される電源に応じて回線切替部９１を制御する切替制御部９２とが設けられている。
また、停電用子機３は回線切替装置９を介して、主装置２またはＩＳＤＮ回線１０のいずれかへ接続される。
【０００４】
主装置２へ電源が供給されている通電状態では、主装置２から停電用子機３へ内線伝送路９Ｃを介して電源が供給される。切替制御部９２ではこの停電用子機３へ供給される電源を用いて回線切替部９１のリレーＬを駆動している。
したがって、通電状態では、切替制御部９２により回線切替部９１のリレーＬが駆動されてＩＳＤＮ回線１０が通電伝送路９Ａを介して主装置２側に接続される。
【０００５】
また、停電状態となった場合は、停電用子機３への電源供給が停止するためリレーＬの駆動が停止し、ＩＳＤＮ回線１０は停電伝送路９Ｂを介して停電用子機３側へ切替接続される。これにより、停電用子機３では、ＩＳＤＮ回線１０を介して網側から供給される電源により動作可能となる。
その後、主装置２へ電源が再給電された時点で、主装置２から停電用子機３へ電源が供給されるため、リレーＬが駆動されてＩＳＤＮ回線１０が通電伝送路９Ａを介して主装置２側に接続される。
【０００６】
【発明が解決しようとする課題】
しかしながら、このような従来の回線切替装置および停電用電話機では、電話装置への再給電に応じて、回線切替部でＩＳＤＮ回線が停電用電話機側から電話装置側へ切り替えられる。したがって、その際、停電用電話機で停電伝送路および回線切替部を介して通話していた場合でも、回線切替部によりＩＳＤＮ回線が通電伝送路側へ強制的に切り替えられるため、停電伝送路を介した通話が切断されてしまうという問題点があった。
本発明はこのような課題を解決するためのものであり、主装置への再給電時に停電用子機が通話していた場合、その通話を維持することができる回線切替装置および停電用電話機を提供することを目的としている。
【０００７】
【課題を解決するための手段】
このような目的を達成するために、本発明にかかる回線切替装置は、ＩＳＤＮ回線を終端制御する電話装置と、内線伝送路を介して電話装置へ接続されて電話装置へ電源が供給されている通電状態および電話装置への電源供給が停止している停電状態でＩＳＤＮ回線を用いた通話を行う停電用電話機とに接続され、通電状態／停電状態に応じてＩＳＤＮ回線を電話装置側または停電用電話機側のいずれかへ切替接続する回線切替装置であって、ＩＳＤＮ回線を電話装置側または停電用電話機側のいずれかへ切替接続する回線切替部と、内線伝送路に接続され、電話装置から内線伝送路を介して停電用電話機へ電源が供給された場合に回線切替部を制御することにより通電伝送路を介してＩＳＤＮ回線を電話装置側へ接続し、停電用電話機への電源が供給停止された場合に回線切替部を制御することにより停電伝送路を介してＩＳＤＮ回線を停電用電話機へ接続する切替制御部と、回線切替部により停電伝送路を介してＩＳＤＮ回線へ接続された停電用電話機による通話を検出する通話検出部と、通話検出部により停電用電話機による通話が検出された場合は、切替制御部による回線切替部の切替制御を停止する制御部と、内線伝送路のうち切替制御部から電話装置側に設けられ、制御部からの指示に応じて、電話装置から停電用電話機および切替制御部への電源供給を制御することにより、切替制御部による回線切替部の切替制御を停止／停止解除する給電制御部とを備えるものである。
【０００８】
また、制御部で、通話検出部により停電用電話機による終話が検出された場合、切替制御部による回線切替部の切替制御の停止を解除するようにしてもよい。
【００１０】
このとき、制御部で、通話検出部により停電用電話機による通話が検出された場合、給電制御部を開放状態に制御することにより、切替制御部による回線切替部の切替制御を停止するようにしてもよい。
また、通話検出部により停電用電話機による終話が検出された場合、給電制御部を閉結状態に制御することにより、切替制御部による回線切替部の切替制御の停止を解除するようにしてもよい。
【００１１】
電話装置および停電用電話機の具体的構成として、電話装置がボタン電話装置の主装置であり、停電用電話機が電話装置に内線伝送路を介して接続される停電用子機であってもよい。
通話検出部の具体的構成として、停電伝送路に生ずる電気量の変化に基づき、停電伝送路を用いた停電用電話機の通話有無を検出するようにしてもよい。
【００１２】
また、本発明にかかる停電用電話機は、ＩＳＤＮ回線を終端制御する電話装置と内線伝送路を介して接続され、電話装置へ電源が供給されている通電状態および電話装置への電源供給が停止している停電状態でＩＳＤＮ回線を用いた通話を行う停電用電話機であって、内線伝送路を介して電話装置から供給された電源に基づき当該停電用電話機での電話機能を提供する通電動作部と、ＩＳＤＮ回線を介して網側から供給された電源に基づき当該停電用電話機での電話機能を提供する停電動作部と、ＩＳＤＮ回線を電話装置側または停電動作部側のいずれかへ切替接続する回線切替部と、内線伝送路に接続され、電話装置から内線伝送路を介して電源が供給された場合に回線切替部を制御することにより通電伝送路を介してＩＳＤＮ回線を電話装置側へ接続し、電源の供給が停止された場合に回線切替部を制御することにより停電伝送路を介してＩＳＤＮ回線を停電動作部へ接続する切替制御部と、回線切替部により停電伝送路を介してＩＳＤＮ回線に接続された停電動作部で通話が開始された場合は、切替制御部による回線切替部の切替制御を停止する停電制御部と、内線伝送路のうち切替制御部から電話装置側に設けられ、停電制御部からの指示に応じて、電話装置から通電動作部および切替制御部への電源供給を制御することにより、切替制御部による回線切替部の切替制御を停止／停止解除する給電制御部とを備えるものである。
【００１３】
また、停電制御部で、停電用電話機による終話に応じて、切替制御部による回線切替部の切替制御の停止を解除するようにしてもよい。
【００１５】
このとき、停電制御部で、停電用電話機で通話が開始された場合、給電制御部を開放状態に制御することにより、切替制御部による回線切替部の切替制御を停止するのようにしてもよい。
また、停電制御部で、停電用電話機による終話に応じて、給電制御部を閉結状態に制御することにより、切替制御部による回線切替部の切替制御の停止を解除するようにしてもよい。
【００１６】
電話装置および停電用電話機の具体的構成として、電話装置がボタン電話装置の主装置であり、当該停電用電話機が電話装置に内線伝送路を介して接続される停電用子機であってもよい。
【００１７】
【発明の実施の形態】
次に、本発明の実施の形態について図面を参照して説明する。
図１は本発明の第１の実施の形態にかかる回線切替装置を示すブロック図である。以下では、本実施の形態にかかる回線切替装置をボタン電話装置に適用した例について説明する。
ボタン電話装置は、ＩＳＤＮ回線１０を終端制御する主装置２と、この主装置２に収容される子機３０および停電用子機３から構成されており、主装置２は商用電源で動作し、子機３０および停電用子機３は主装置２から供給される電源により動作している。
【００１８】
回線切替装置１は、ＩＳＤＮ回線（Ｕ点インターフェース）１０と主装置２との間に接続されているとともに、主装置２と停電用子機３との間に接続されている。この回線切替装置１には、回線切替部１１、切替制御部１２、通話検出部１３、制御部１４、給電制御部１５および電源部１６が設けられている。
回線切替部１１は、リレーＬによりＩＳＤＮ回線１０を、主装置２側または停電用子機３側のいずれかへ切替接続する回路部である。主装置２は通電伝送路１０Ａを介して回線切替部１１へ接続されている。また停電用子機３は停電伝送路１０Ｂを介して回線切替部１１へ接続されている。
【００１９】
切替制御部１２は、主装置２と停電用子機３とを結ぶ内線伝送路１０Ｃを介して主装置２から停電用子機３へ供給される電源に応じて回線切替部１１を切替制御する回路部である。
通話検出部１３は、停電伝送路１０Ｂの電気量の変化に基づいて停電伝送路１０Ｂを用いた停電用子機３の通話有無を検出する回路部である。一般に、ＩＳＤＮ回線から電源を取得している状態で停電用子機３で通話を行った場合、通話していない場合と比較して停電用子機３を介してＩＳＤＮ回線へ流れる給電電流が増加する。したがって、例えば停電伝送路１０Ｂに低負荷素子を直列接続し、その両端に発生する電圧値を監視することにより、停電用子機３での通話有無を検出できる。
【００２０】
給電制御部１５は、内線伝送路１０Ｃのうち切替制御部１２から主装置２側の区間に直列に設けられ、制御部１４からの指示に応じて、主装置２から停電用子機３へ供給される電源の供給／停止を制御するとともに、その閉結／開放状態を維持するラッチ機能を有する回路部である。具体例としてはラッチングリレーやラッチ機能を有する低消費電力タイプのフォトＭＯＳリレーなどがあげられる。制御部１４は、所定のプログラムを実行するＣＰＵとメモリ回路などの周辺回路とから構成されており、通話検出部１３の検出結果に応じて給電制御部１５の動作を制御する。
電源部１６は、停電伝送路１０Ｂのうち通話検出部１３との接続点から回線切替部１１側に設けられ、ＩＳＤＮ回線１０および回線切替部１１を介して網側から停電伝送路１０Ｂへ供給された電源を取得して回線切替装置１内の各部へ供給する回路部である。
【００２１】
図２に停電用子機の構成例を示す。
停電用子機３には、内線伝送路１０Ｃを介して主装置２側から供給された電源により動作する通電動作部３Ａと、停電伝送路１０Ｂを介してＩＳＤＮ回線１０側から供給された電源により動作する停電動作部３Ｂとが設けられている。
通電動作部３Ａは、内線伝送路１０Ｃから電源を取得して通電動作部３Ａの各回路部へ供給する電源部３１、内線伝送路１０Ｃを介して主装置２とデータ伝送を行うことにより音声情報や制御情報をやり取りする伝送制御コーデック３２、および伝送制御コーデック３２で受信された主装置２からの制御情報に基づき停電用子機３を制御するとともにフックスイッチ（ＨＳ）３９など停電用子機３での操作を示す主装置２宛の制御情報を伝送制御コーデック３２へ渡す通電制御部３３から構成されている。
【００２２】
停電動作部３Ｂは、停電伝送路１０Ｂから電源を取得して停電動作部３Ｂの各部へ供給する電源部３４、停電伝送路１０Ｂを介して接続されるＩＳＤＮ回線１０のＵ点インターフェースを終端するＩＳＤＮコントローラ３５、このＩＳＤＮコントローラ３５とデータ伝送を行うことにより音声情報や制御情報をやり取りするコーデック３６、およびＩＳＤＮコントローラ３５で受信された網側からの制御情報に基づき停電用子機３を制御するとともにフックスイッチ３９など停電用子機３での操作を示す網側宛の制御情報をＩＳＤＮコントローラ３５へ渡す停電制御部３７から構成されている。
【００２３】
通話部３８は、音声通話のためののマイクやスピーカ（図示せず）からなり、通電動作部３Ａの伝送制御コーデック３２と停電動作部３Ｂのコーデック３６とで共用される。
フックスイッチ（ＨＳ）３９は、停電用子機３での通話状態を検出するスイッチであり、通電動作部３Ａの通電制御部３３と停電動作部３Ｂの停電制御部３７とで共用される。
【００２４】
停電用子機３では、通電状態において、内線伝送路１０Ｃを介して主装置２から供給された電源が電源部３１から通電動作部３Ａの各部へ供給される。そして、主装置２からの制御情報は、伝送制御コーデック３２で受信されて通電制御部３３へ渡され、停電用子機３の各部が制御される。またフックスイッチ３９など停電用子機３での操作を示す制御情報は、通電制御部３３から伝送制御コーデック３２へ渡され主装置２へ送信される。
また、主装置２からの音声情報は、伝送制御コーデック３２で受信されて復号化され通話部３８のスピーカ（図示せず）から出力される。また通話部３８のマイク（図示せず）から入力された音声信号は伝送制御コーデック３２により音声情報へ符号化され主装置２へ送信される。
【００２５】
一方、停電状態において、ＩＳＤＮ回線１０および停電伝送路１０Ｂを介して網側から供給された電源が電源部３４から停電動作部３Ｂの各部へ供給される。そして、ＩＳＤＮ回線１０のＵ点インターフェースがＩＳＤＮコントローラ３５で終端される。
そして、網側からの制御情報は、ＩＳＤＮコントローラ３５で受信されて停電制御部３７へ渡され、停電用子機３の各部が制御される。またフックスイッチ（ＨＳ）３９など停電用子機３での操作を示す制御情報は、停電制御部３７からＩＳＤＮコントローラ３５へ渡され網側へ送信される。
【００２６】
また、網側からの音声情報は、ＩＳＤＮコントローラ３５で受信されてコーデック３６で復号化され、通話部３８のスピーカ（図示せず）から出力される。また通話部３８のマイク（図示せず）から入力された音声信号はコーデック３６により音声情報へ符号化され、ＩＳＤＮコントローラ３５から網側へ送信される。
【００２７】
次に、図３を参照して、本実施の形態にかかる回線切替装置の動作について説明する。図３は回線切替装置１の動作を示すタイミングチャートである。
時刻Ｔ１以前において、主装置２は電源が供給されている通電状態にある。給電制御部１５は、初期状態において閉結状態にある。
このような状態では、主装置２から停電用子機３に対して内線伝送路１０Ｃを介して電源が供給される。
【００２８】
切替制御部１２では、この電源供給に応じてリレーＬを駆動し、回線切替部１１ではＩＳＤＮ回線１０を主装置２側へ切替接続する。したがって、停電伝送路１０ＢはＩＳＤＮ回線１０へ接続されておらず、電源部１６からの電源供給は停止し、制御部１４は動作を停止している。
このような通電状態にある時刻Ｔ１において、主装置２への電源供給が停止して停電状態となった場合、主装置２から内線伝送路１０Ｃを介した停電用子機３への電源供給も停止する。これにより、切替制御部１２でのリレーＬの駆動が停止し、これに応じて回線切替部１１ではＩＳＤＮ回線１０を停電用子機３側へ切替接続する。
【００２９】
したがって、停電伝送路１０ＢにはＩＳＤＮ回線１０および回線切替部１１を介して網側から電源が供給され、電源部１６は回線切替装置１の各部に対して電源供給を開始する。
これに応じて、制御部１４は、通話検出部１３を用いて停電用子機３による通話有無を検出するとともに、その検出結果に基づき給電制御部１５を制御する給電制御処理を開始する。図４は制御部１４における給電制御処理を示すフローチャートである。
【００３０】
制御部１４では、まず、通話検出部１３の出力をＡ／Ｄ変換して、停電伝送路１０Ｂに直列接続されている負荷素子の両端に生じている回線差分電圧を取得する（ステップ１００）。そして、得られた回線差分電圧を非通話状態における基準電圧値として保持する（ステップ１０１）。
なお、制御部１４が動作を開始する時点は、回線切替部１１によりＩＳＤＮ回線１０が主装置２側から停電用子機３側へ切り替えられた直後である。したがって、それまで停電用子機３で主装置２を介して通話状態にあったとしても上記切り替えにより通話していた回線が切断されることになるため、制御部１４が動作を開始する時点では停電用子機３が非通話状態にあると考えてよい。
【００３１】
次に、制御部１４は、所定期間経過ごとにタイムアップする通話監視タイマーを起動し（ステップ１０２）、この通話監視タイマーのタイムアップまで待機する待機ループへ移行する（ステップ１０３）。
この待機ループで通話監視タイマーがタイムアップとなった場合（ステップ１０３：ＹＥＳ）、通話検出部１３の出力から回線差分電圧を取得する（ステップ１０４）。
【００３２】
そして、得られた回線差分電圧と基準電圧値とを比較し、得られた回線差分電圧が基準電圧値より上昇している場合は（ステップ１０５：ＹＥＳ）、停電用子機３で通話が行われていると判断して給電制御部１５を開放状態へ制御し（ステップ１０６）、ステップ１０３の待機ループへ戻る。
一方、得られた回線差分電圧が基準電圧値より上昇していない場合は（ステップ１０５：ＮＯ）、停電用子機３で通話が行われていないと判断して給電制御部１５を閉結状態へ制御し（ステップ１０７）、ステップ１０３の待機ループへ戻る。
【００３３】
したがって、時刻Ｔ１直後では、停電用子機３が通話状態にないことから、上記ような制御部１４の給電制御処理により、給電制御部１５が閉結状態へ制御される。
その後、時刻Ｔ２に主装置２の電源が復電して通電状態となった場合、給電制御部１５が閉結状態にあることから、主装置２から内線伝送路１０Ｃを介して停電用子機３へ電源が供給される。これに応じて、切替制御部１２で回線切替部１１のリレーＬが駆動され、ＩＳＤＮ回線１０が主装置２側へ切り替えられる。
【００３４】
次に、時刻Ｔ３に主装置２が停電状態となった場合、時刻Ｔ１と同様に、回線切替部１１によりＩＳＤＮ回線１０が停電用子機３側へ切り替えられる。また、停電用子機３は通話状態にないため通話検出部１３では通話状態が検出されず、給電制御部１５は閉結状態を維持している。
このような停電状態にある時刻Ｔ４において、停電用子機３で停電伝送路１０Ｂを介して通話が開始された場合、停電伝送路１０Ｂを流れる給電電流が増加する。制御部１４では通話検出部を用いた給電制御処理により、停電用子機３での通話開始を検出し、給電制御部１５を開放状態へ制御する。
【００３５】
このような停電用子機３による停電状態での通話中に、時刻Ｔ５に主装置２の電源が復電した場合、主装置２から内線伝送路１０Ｃに対して電源が供給される。しかし、給電制御部１５が開放状態にあるため、主装置２からの電源が給電制御部１５から停電用子機３側へ供給されない。
したがって、切替制御部１２による回線切替部１１の切替制御が停止され、すなわちリレーＬが駆動されず、ＩＳＤＮ回線１０は停電用子機３側に接続されたままとなり、停電伝送路１０Ｂを介した停電用子機３の通話が維持される。
【００３６】
その後、時刻Ｔ６に停電用子機３が終話した場合、停電伝送路１０Ｂを流れる給電電流が低減するため、制御部１４では通話検出部を用いた給電制御処理により、停電用子機３での終話を検出し、給電制御部１５を閉結状態へ制御する。
これにより、主装置２から内線伝送路１０Ｃを介して停電用子機３側へ電源が供給され、切替制御部１２により回線切替部１１のリレーＬが駆動されて、ＩＳＤＮ回線１０が主装置２側へ切り替え接続される。
【００３７】
このように、本実施の形態では、回線切替部１１と停電用子機３とを接続する停電伝送路１０Ｂに通話検出部１３を設け、主装置２が停電状態の際に通話検出部１３を介して停電用子機３による通話を検出した場合は、切替制御部１２の切替制御を制御部１４により停止するようにしたので、従来のように、回線切替部１１で強制的にＩＳＤＮ回線１０が主装置２側へ切り替えられなくなり、主装置２の復電時でも停電用子機３の通話が維持される。
【００３８】
また、切替制御部１２の切替制御を停止する構成として、主装置２と停電用子機３とを接続する内線伝送路１０Ｃのうち切替制御部１２から主装置２側に、主装置２からの電源供給を制御する給電制御部１５を設け、通話検出部１３により主装置２が停電状態の際に停電用子機３による通話を検出した場合は、制御部１４により給電制御部１５を開放状態へ制御して、主装置２から停電用子機３および切替制御部１２への給電を停止するようにしたので、切替制御部１２の切替制御を容易に停止できるとともに、停電用子機３への主装置２からの給電も停止でき、停電伝送路１０Ｂを介して通話している停電用子機３の誤動作を容易に回避できる。
【００３９】
また、主装置２が停電状態の際に通話検出部１３を介して停電用子機３による終話を検出した場合は、切替制御部１２の切替制御を制御部１４により停止解除するようにしたので、主装置２の復電後の停電用子機３による終話に応じて、ＩＳＤＮ回線１０が主装置２側へ切替接続することができる。
また、通話検出部１３の具体例として、停電伝送路１０Ｂに負荷素子を直列接続し、停電伝送路１０Ｂを用いた停電用子機３の通話有無に応じて、負荷素子の両端に生じる電気量の変化を検出するようにしたので、極めて簡素な構成で実現できる。
【００４０】
次に、図５を参照して、本発明の第２の実施の形態にかかる停電用電話機について説明する。図５は第２の実施の形態にかかる停電用電話機の構成を示すブロック図である。以下では、本実施の形態にかかる停電用電話機をボタン電話装置の主装置２に収容される停電用子機５に適用した例について説明する。
この停電用子機５は、ＩＳＤＮ回線（Ｕ点インターフェース）１０と主装置２との間に接続されているとともに、主装置２の子機の１つとして主装置２に収容されている。
【００４１】
停電用子機５は、図２で示した停電用子機に、回線切替部６１、切替制御部６２および停電制御部６３が追加された構成となっている。
停電用子機５の通電動作部５Ａ、停電動作部５Ｂ、電源部５１、伝送制御コーデック５２、通電制御部５３、電源部５４、ＩＳＤＮコントローラ５５、コーデック５６、停電制御部５７、通話部５８およびフックスイッチ（ＨＳ）５９は、それぞれ図２の停電用子機３の通電動作部３Ａ、停電動作部３Ｂ、電源部３１、伝送制御コーデック３２、通電制御部３３、電源部３４、ＩＳＤＮコントローラ３５、コーデック３６、停電制御部３７、通話部３８およびフックスイッチ（ＨＳ）３９と同等のものである。
【００４２】
また、回線切替部６１、切替制御部６２および給電制御部６３は、前述した図１の回線切替部１１、切替制御部１２および給電制御部１５と同等のものである。さらに、図１の電源部１６は電源部５４に相当する。
なお、図１の制御部１４での給電制御処理は停電制御部５７で行われ、その際、停電用子機５の通話状態は、図１の通話検出部１３に代えて、フックスイッチ５９のオンフック／オフフックにより検出する。
【００４３】
通電動作部５Ａは、内線伝送路５０Ｃから電源を取得して通電動作部５Ａの各回路部へ供給する電源部５１、内線伝送路５０Ｃを介して主装置２とデータ伝送を行うことにより音声情報や制御情報をやり取りする伝送制御コーデック５２、および伝送制御コーデック５２で受信された主装置２からの制御情報に基づき停電用子機５を制御するとともにフックスイッチ５９など停電用子機５での操作を示す主装置２宛の制御情報を伝送制御コーデック５２へ渡す通電制御部５３から構成されている。
【００４４】
停電動作部５Ｂは、停電伝送路５０Ｂから電源を取得して停電動作部５Ｂの各回路部へ供給する電源部５４、停電伝送路５０Ｂを介して接続されるＩＳＤＮ回線１０のＵ点インターフェースを終端するＩＳＤＮコントローラ５５、このＩＳＤＮコントローラ５５とデータ伝送を行うことにより音声情報や制御情報をやり取りするコーデック５６、およびコーデック５６で受信された網側からの制御情報に基づき停電用子機５を制御するとともにフックスイッチ５９など停電用子機５での操作を示す網側宛の制御情報をコーデック５６へ渡す停電制御部５７から構成されている。
【００４５】
通話部５８は、音声通話のためののマイクやスピーカ（図示せず）からなり、通電動作部５Ａの伝送制御コーデック５２と停電動作部５Ｂのコーデック５６とで共用される。
フックスイッチ５９は、停電用子機５での通話状態を検出するスイッチであり、通電動作部５Ａの通電制御部５３と停電動作部５Ｂの停電制御部５７とで共用される。
【００４６】
停電用子機５では、通電状態において、内線伝送路５０Ｃを介して主装置２から供給された電源が電源部５１から通電動作部５Ａの各部へ供給される。そして、主装置２からの制御情報は、伝送制御コーデック５２で受信されて通電制御部５３へ渡され、停電用子機５の各部が制御される。またフックスイッチ５９など停電用子機５での操作を示す制御情報は、通電制御部５３から伝送制御コーデック５２へ渡され主装置２へ送信される。
また、主装置２からの音声情報は、伝送制御コーデック５２で受信されて復号化され通話部５８のスピーカ（図示せず）から出力される。また通話部５８のマイク（図示せず）から入力された音声信号は伝送制御コーデック５２により音声情報へ符号化され主装置２へ送信される。
【００４７】
一方、停電状態において、ＩＳＤＮ回線１０および停電伝送路５０Ｂを介して網側から供給された電源が電源部５４から停電動作部５Ｂの各部へ供給される。そして、ＩＳＤＮ回線１０のＵ点インターフェースがＩＳＤＮコントローラ５５で終端される。
そして、網側からの制御情報は、ＩＳＤＮコントローラ５５で受信されて停電制御部５７へ渡され、停電用子機５の各部が制御される。またフックスイッチ５９など停電用子機５での操作を示す制御情報は、停電制御部５７からＩＳＤＮコントローラ５５へ渡され網側へ送信される。
【００４８】
また、網側からの音声情報は、ＩＳＤＮコントローラ５５で受信されてコーデック５６で復号化され、通話部５８のスピーカ（図示せず）から出力される。また通話部５８のマイク（図示せず）から入力された音声信号はコーデック５６により音声情報へ符号化され、ＩＳＤＮコントローラ５５から網側へ送信される。
【００４９】
次に、図６を参照して、本実施の形態にかかる回線切替装置の動作について説明する。図６は回線切替装置１の動作を示すタイミングチャートである。
時刻Ｔ１以前において、主装置２は電源が供給されいる通電状態にある。給電制御部６３は、初期状態において閉結状態にある。
このような状態では、主装置２から停電用子機５に対して内線伝送路５０Ｃを介して電源が供給され、通電動作部５Ａが動作状態となる。
【００５０】
切替制御部６２ではこの電源供給に応じてリレーＬを駆動し、回線切替部６１ではＩＳＤＮ回線１０を主装置２側へ切替接続する。したがって、停電伝送路５０ＢはＩＳＤＮ回線１０へ接続されておらず、電源部５４からの電源供給は停止し、停電制御部５７は動作を停止している。
このような通電状態にある時刻Ｔ１において、主装置２への電源供給が停止して停電状態となった場合、主装置２から内線伝送路５０Ｃを介した停電用子機５への電源供給も停止する。これにより、切替制御部６２ではリレーＬの駆動を停止し、回線切替部６１ではＩＳＤＮ回線１０を停電動作部５Ｂ側へ切替接続する。
【００５１】
したがって、停電伝送路５０ＢにはＩＳＤＮ回線１０および回線切替部６１を介して網側から電源が供給され、電源部５４は回線切替装置１の各部に対して電源供給を開始する。
図７は、停電制御部５７における給電制御処理を示すフローチャートである。
停電制御部５７では、まず、所定期間経過ごとにタイムアップする通話監視タイマーを起動し（ステップ１１０）、この通話監視タイマーのタイムアップまで待機する待機ループへ移行する（ステップ１１１）。
この待機ループで通話監視タイマーがタイムアップとなった場合（ステップ１１１：ＹＥＳ）、フックスイッチ５９の状態を取得する（ステップ１１２）。
【００５２】
ここで、フックスイッチ５９がオフフック状態の場合は（ステップ１１３：ＹＥＳ）、停電用子機５で通話が行われていると判断して給電制御部６３を開放状態へ制御し（ステップ１１４）、ステップ１１１の待機ループへ戻る。
一方、フックスイッチ５９がオンフック状態の場合は（ステップ１１３：ＮＯ）、停電用子機５で通話が行われていないと判断して給電制御部６３を閉結状態へ制御し（ステップ１１５）、ステップ１０３の待機ループへ戻る。
【００５３】
したがって、時刻Ｔ１直後では、停電用子機５が通話状態にないことから、上記ような停電制御部５７の給電制御処理により、給電制御部６３が閉結状態へ制御される。
その後、時刻Ｔ２に主装置２の電源が復電して通電状態となった場合、給電制御部６３が閉結状態にあることから、主装置２から内線伝送路５０Ｃを介して停電用子機５へ電源が供給される。これに応じて、切替制御部６２で回線切替部６１のリレーＬが駆動され、ＩＳＤＮ回線１０が主装置２側へ切り替えられる。
【００５４】
次に、時刻Ｔ３に主装置２が停電状態となった場合、時刻Ｔ１と同様に、回線切替部６１によりＩＳＤＮ回線１０が停電動作部５Ｂ側へ切り替えられる。また、停電用子機５は通話状態にないためフックスイッチ５９がオンフック状態のままであり、給電制御部６３は閉結状態を維持している。
このような停電状態にある時刻Ｔ４において、停電用子機５で停電伝送路５０Ｂを介して通話が開始された場合、フックスイッチ５９がオフフック状態となる。停電制御部５７では上記給電制御処理により、停電用子機５での通話開始を検出し、給電制御部６３を開放状態へ制御する。
【００５５】
このような停電用子機５による停電状態での通話中に、時刻Ｔ５に主装置２の電源が復電した場合、主装置２から内線伝送路５０Ｃに対して電源が供給される。しかし、給電制御部６３が開放状態にあるため、主装置２からの電源が給電制御部６３から通電動作部５Ａ側へ供給されない。
したがって、切替制御部６２による回線切替部６１の切替制御が停止され、すなわちリレーＬが駆動されず、ＩＳＤＮ回線１０は停電動作部５Ｂ側に接続されたままとなり、停電伝送路５０Ｂを介した停電用子機５の通話が維持される。
【００５６】
その後、時刻Ｔ６に停電用子機５が終話した場合、フックスイッチ５９がオンフック状態となるため、停電制御部５７では給電制御処理により、停電用子機５での終話を検出し、給電制御部６３を閉結状態へ制御する。
これにより、主装置２から内線伝送路５０Ｃを介して通電動作部５Ａ側へ電源が供給され、切替制御部１２により回線切替部６１のリレーＬが駆動されて、ＩＳＤＮ回線１０が主装置２側へ切り替え接続される。
【００５７】
このように、本実施の形態では、主装置２が停電状態の際にフックスイッチ５９で停電用子機５による通話を検出した場合は、切替制御部６２の切替制御を停電制御部５７により停止するようにしたので、従来のように、回線切替部６１で強制的にＩＳＤＮ回線１０が主装置２側へ切り替えられなくなり、主装置２の復電時でも停電用子機５の通話が維持される。
【００５８】
また、切替制御部６２の切替制御を停止する構成として、主装置２と停電用子機５とを接続する内線伝送路５０Ｃのうち切替制御部６２から主装置２側に、主装置２からの電源供給を制御する給電制御部６３を設け、主装置２が停電状態の際に停電用子機５による通話が検出された場合は、停電制御部５７により給電制御部６３を開放状態へ制御して、主装置２から通電動作部５Ａおよび切替制御部６２への給電を停止するようにしたので、切替制御部６２の切替制御を容易に停止できるとともに、通電動作部５Ａへの主装置２からの給電も停止でき、停電伝送路５０Ｂを介して通話している停電用子機５の誤動作を容易に回避できる。
【００５９】
また、主装置２が停電状態の際に停電用子機５での終話が検出された場合は、切替制御部６２の切替制御を停電制御部５７により停止解除するようにしたので、主装置２の復電後の停電用子機５による終話に応じて、ＩＳＤＮ回線１０を主装置２側へ切替接続することができる。
なお、以上の各実施の形態では、ボタン電話装置を例として説明したが、これに限定されるものではない。例えばＩＳＤＮ回線回線に接続される親子電話装置を例として、ＩＳＤＮ回線を終端制御する親機を上記電話装置に対応させるとともに、この親機に収容される停電用子機を上記停電用電話機に対応させることも可能であり、前述と同様の作用効果が得られる。
【００６０】
【発明の効果】
以上説明したように、本発明は、停電用電話機が接続されている内線伝送路に対する電話装置からの電源供給の有無に応じて、ＩＳＤＮ回線を電話置側または停電用電話機側のいずれかへ切替接続する回線切替部を制御する切替制御部について、停電用電話機による通話が検出された場合は、切替制御部による回線切替部の切替制御を停止し、内線伝送路のうち切替制御部から電話装置側に設けた給電制御部で、制御部からの指示に応じて、電話装置から通電動作部および切替制御部への電源供給を制御することにより、切替制御部による回線切替部の切替制御を停止／停止解除するようにしたので、従来のように、回線切替部で強制的にＩＳＤＮ回線が電話装置側へ切り替えられなくなり、電話装置の復電時でも停電用電話機の通話が維持される。
【図面の簡単な説明】
【図１】  本発明の第１の実施の形態にかかる回線切替装置の構成を示すブロック図である。
【図２】  停電用子機の構成例を示すブロック図である。
【図３】  本発明の第１の実施の形態にかかる回線切替装置の動作を示すタイミングチャートである。
【図４】  制御部での給電制御処理を示すフローチャートである。
【図５】  本発明の第２の実施の形態にかかる停電用電話機の構成を示すブロック図である。
【図６】  本発明の第２の実施の形態にかかる回線切替装置の動作を示すタイミングチャートである。
【図７】  制御部での他の給電制御処理を示すフローチャートである。
【図８】  従来の回線切替装置を示すブロック図である。
【符号の説明】
１…回線切替装置、１Ｂ…停電伝送路、１Ｃ…内線伝送路、１１…回線切替部、１２…切替制御部、１３…通話検出部、１４…制御部、１５…給電制御部、１６…電源部、１０…ＩＳＤＮ（Ｕ点インターフェース）、１０Ａ…通電伝送路、１０Ｂ…停電伝送路、１０Ｃ…内線伝送路、２…主装置、３０…子機、３…停電用子機、３Ａ…通電動作部、３Ｂ…停電動作部、３１…電源部、３２…伝送制御コーデック、３３…通電制御部、３４…電源部、３５…ＩＳＤＮコントローラ、３６…コーデック、３７…停電制御部、３８…通話部、３９…フックスイッチ（ＨＳ）、５…停電用子機、５０…回線切替部、５０Ａ…通電伝送路、５０Ｂ…停電伝送路、５０Ｃ…内線伝送路、５１…電源部、５２…伝送制御コーデック、５３…通電制御部、５４…電源部、５５…ＩＳＤＮコントローラ、５６…コーデック、５７…停電制御部、５８…通話部、５９…フックスイッチ（ＨＳ）。
【図１】
0003982220.tif 000002
【図２】
0003982220.tif 000003
【図３】
0003982220.tif 000004
【図４】
0003982220.tif 000005
【図５】
0003982220.tif 000006
【図６】
0003982220.tif 000007
【図７】
0003982220.tif 000008
【図８】
0003982220.tif 000009